(57)【要約】【課題】  油圧シリンダ等の駆動装置に熱影響が及ぶのを抑制することができるとともに、簡単な構成で開閉金枠に対する加圧力の付与または解除を確実に行わせることができるスライディングノズル装置及び注湯装置を提供する。【解決手段】  固定金枠１４に固定プレート１５を設ける。固定金枠１４には、可動プレート２１を有する開閉金枠１７を開閉可能に取り付ける。固定金枠１４には、閉鎖状態の開閉金枠１７に対してバネ２５による閉鎖方向への加圧力を付与する加圧機構２３を設ける。加圧機構２３と対向する位置には作動部材２９を移動可能に設ける。作動部材２９と加圧機構２３との間にはカム面３０ｄ，３２ａを設ける。開閉金枠１７の閉鎖状態において、作動部材２９の移動にともなうカム面３０ｄ，３２ａの作用によりバネ２５がその付勢力に抗して変形されて、加圧力が強化されるように構成する。【選択図】      図１０
2005262238.tif 000002
【特許請求の範囲】
【請求項１】
固定ノズル孔が形成された固定プレートを有し、溶湯容器に取り付けられるようにした固定金枠と、
前記固定プレートに重合された状態においてスライド可能で、かつ前記固定ノズル孔に対応する可動ノズル孔が形成された可動プレートを有し、固定金枠に対して開閉可能な開閉金枠と、
前記固定金枠に設けられ、閉鎖状態の開閉金枠に対してバネによる閉鎖方向への加圧力を付与する加圧手段と
を備え、
前記開閉金枠の閉鎖状態で可動プレートがスライドされることにより、前記両ノズル孔間の通路が開閉されるようにしたスライディングノズル装置において、
前記加圧手段と開閉金枠との間には、カム面を有する作動部材を設け、
開閉金枠の閉鎖状態において、前記作動部材の作動にともなうカム面の作用により前記バネがその付勢力に抗して変形されて、前記加圧力が強化されるようにしたことを特徴とするスライディングノズル装置。
【請求項２】
請求項１において、前記加圧手段は、固定金枠に回動可能に支持された回動部材と、その回動部材に進退可能に支持され、回動部材の回動にともない開閉金枠を保持する位置及びそこから離脱する位置の間を移動可能な保持部材とを備え、前記バネを回動部材と保持部材との間に設けたことを特徴とするスライディングノズル装置。
【請求項３】
請求項２において、前記作動部材は、前記開閉金枠と保持部材との間に配置され、カムの作用により前記バネをその弾性に抗して変形させることにより、作動部材がバネの反力を受けて、その反力が開閉金枠の閉鎖方向への力として作用するようにしたことを特徴とするスライディングノズル装置。
【請求項４】
請求項３において、前記作動部材が、前記開閉金枠と保持部材との間において保持部材の進退方向と同方向に移動可能に配置された移動部材と、その移動部材と開閉金枠との間に配置され、カム面の作用により移動部材をバネの弾性に抗する方向に移動させることにより、バネの反力を受けて開閉金枠を閉鎖方向に押圧するカム部材とよりなることを特徴としたスライディングノズル装置。
【請求項５】
請求項４において、前記カム部材が前記可動プレートと一体に移動することにより、カム作用により開閉金枠を加圧する位置及び加圧を解除する位置に配置される状態と、前記加圧位置において開閉型枠に固定される状態とに同カム部材を切り換えるための切換手段を設けたことを特徴とするスライディングノズル装置。
【請求項６】
請求項１〜請求項５のうちのいずれか一項に記載のスライディングノズル装置と、前記可動プレートをスライドさせるための駆動装置とを備えたことを特徴とする注湯装置。
【発明の詳細な説明】
【技術分野】
【０００１】
この発明は、例えば連続鋳造ラインにおいて使用する取鍋等の溶湯容器に取り付けられ、溶湯容器から鋳造型等に金属溶湯を注湯する際に、その注湯量を制御するためのスライディングノズル装置、及びスライディングノズル装置を備えた注湯装置に関するものである。
【背景技術】
【０００２】
この種のスライディングノズル装置は、取鍋等の溶湯容器に固定された固定プレートと、この固定プレートに対向する可動プレートとが設けられ、固定プレート上には固定ノズルが、可動プレート上には可動ノズルがそれぞれ設けられている。そして、ノズル等の交換やメンテナンスの際には、可動プレートが開放回動されて、可動プレート及び可動ノズルが固定プレート及び固定ノズルから離隔される。また、注湯の際には、可動プレート及び可動ノズルが固定プレート及び固定ノズルに対して圧接した状態でスライドされて、固定ノズルと可動ノズルとの間の開口量が調節される。
【０００３】
ところで、特許文献１においては、固定プレートに対する可動プレートの圧接がトグル機構によって行われるように構成し、可動プレートのスライドがシリンダによって行われるように構成している。そして、前記トグル機構の作用状態及び不作用状態への切換えは、人力によって操作されるようになっている。このため、トグル機構の切換え作業は、高温環境下における苦渋作業を余儀なくされるものであった。
【０００４】
これを解決するために、特許文献２に記載のスライディングノズル装置が提案されている。この特許文献２の構成においては、油圧シリンダにより、固定プレートに対する可動プレートの圧接及びその解除と、可動プレートのスライド移動との両機能が達成されるようになっている。
【０００５】
すなわち、この特許文献２においては、開閉金枠と固定金枠との間に切換機構が設けられ、この切換機構により開閉金枠の回動軸線方向への相対移動を阻止する状態と許容する状態とに切り換えるようになっている。
【０００６】
そして、この切換機構の切り換えにより、開閉金枠の移動が阻止された状態では、同切換機構中のトグル機構が作用状態にあり、油圧シリンダが作動されたときには、開閉金枠内の摺動金枠のみが移動されて、ノズル孔の開閉を含む整合度が変更される。これに対して、開閉金枠の相対移動が許容された状態で、油圧シリンダが作動されたときには、摺動金枠及び開閉金枠が一体に移動される。この移動により切換機構中のトグル機構の作用が解除されて、押圧部材が係合部から離脱移動される。これにより、コイルバネによる開閉金枠のプレート側への押圧が解除されるようになっている。
【特許文献１】特開昭６３−２１２０６４号公報
【特許文献２】特開平６−２２６４３０号公報
【発明の開示】
【発明が解決しようとする課題】
【０００７】
ところが、この特許文献２に記載のスライディング装置は、固定金枠と開閉金枠との間の狭いスペースに前記切換機構が配置されていることに加えて、その切換機構には、スプリングを含む複雑な構成のトグル機構が内装されて、そのトグル機構を構成する部材が複雑な動作をするように構成されている。このため、この特許文献２に記載のスライディング装置の切換機構は、動作の信頼性に乏しく、現在に至るまで実用化されていない。
【０００８】
この発明は、このような従来の技術に存在する問題点に着目してなされたものである。その目的は、簡単な構成で開閉金枠に対する圧接加圧力の付与または解除を確実に行わせることができるスライディングノズル装置及び注湯装置を提供することにある。
【課題を解決するための手段】
【０００９】
上記の目的を達成するために、請求項１に記載の発明は、固定ノズル孔が形成された固定プレートを有し、溶湯容器に取り付けられるようにした固定金枠と、前記固定プレートに重合された状態においてスライド可能で、かつ前記固定ノズル孔に対応する可動ノズル孔が形成された可動プレートを有し、固定金枠に対して開閉可能な開閉金枠と、前記固定金枠に設けられ、閉鎖状態の開閉金枠に対してバネによる閉鎖方向への加圧力を付与する加圧手段とを備え、前記開閉金枠の閉鎖状態で可動プレートがスライドされることにより、前記両ノズル孔間の通路が開閉されるようにしたスライディングノズル装置において、前記加圧手段と開閉金枠との間には、カム面を有する作動部材を設け、開閉金枠の閉鎖状態において、前記作動部材の作動にともなうカム面の作用により前記バネがその付勢力に抗して変形されて、前記加圧力が強化されるようにしたことを特徴とするものである。
【００１０】
請求項２に記載の発明は、請求項１に記載の発明において、前記加圧手段は、固定金枠に回動可能に支持された回動部材と、その回動部材に進退可能に支持され、回動部材の回動にともない開閉金枠を保持する位置及びそこから離脱する位置の間を移動可能な保持部材とを備え、前記バネを回動部材と保持部材との間に設けたことを特徴とするものである。
【００１１】
請求項３に記載の発明は、請求項２に記載の発明において、前記作動部材は、前記開閉金枠と保持部材との間に配置され、カムの作用により前記バネをその弾性に抗して変形させることにより、作動部材がバネの反力を受けて、その反力が開閉金枠の閉鎖方向への力として作用するようにしたことを特徴とするものである。
【００１２】
請求項４に記載の発明は、請求項３に記載の発明において、前記作動部材が、前記開閉金枠と保持部材との間において保持部材の進退方向と同方向に移動可能に配置された移動部材と、その移動部材と開閉金枠との間に配置され、カム面の作用により移動部材をバネの弾性に抗する方向に移動させることにより、バネの反力を受けて開閉金枠を閉鎖方向に押圧するカム部材とよりなることを特徴とするものである。
【００１３】
請求項５に記載の発明は、請求項４に記載の発明において、前記カム部材が前記可動プレートと一体に移動することにより、カム作用により開閉金枠を加圧する位置及び加圧を解除する位置に配置される状態と、前記加圧位置において開閉型枠に固定される状態とに同カム部材を切り換えるための切換手段を設けたことを特徴とするものである。
【００１４】
請求項６に記載の注湯装置に係る発明は、請求項１〜請求項５のうちのいずれか一項に記載のスライディングノズル装置と、前記可動プレートをスライドさせるための駆動装置とを備えたことを特徴とするものである。
【００１５】
（作用）
請求項１に記載の発明においては、作動部材の移動にともなうカム面の作用により、バネがその付勢力に抗して変形されて、開閉金枠に対する加圧力が強化されるように構成されている。このため、トグル機構が不要となって、構造が簡単であるとともに、開閉金枠に対する加圧力の付与または解除を確実に行わせることができる。
【００１６】
請求項２に記載の発明においては、開閉金枠に対する加圧力が弱められた状態で、回動部材を回動させることにより、保持部材が開閉金枠を保持する位置から離間する位置に移動されて、開閉金枠を固定金枠から容易に開放させることができる。
【００１７】
請求項３に記載の発明においては、バネの弾性変形にともなう反力を利用して、作動部材を介して開閉金枠を閉鎖位置に確実に保持することができる。
請求項４に記載の発明においては、作動部材が移動部材とカム部材との２部品からなるため、作動部材の構造が簡単であるとともに、作動部材を構成する移動部材の移動により、カム部材を介して開閉金枠に対する加圧力を確実に加減することができる。
【００１８】
請求項５に記載の発明においては、カム部材を可動プレートと一体に移動される状態と開閉金枠に固定される状態とに切り換えることにより、開閉金枠に対する加圧力を加減する制御と、ノズル孔間の通路を開閉する制御とを容易に選択設定して実行することができる。
【００１９】
請求項６に記載の発明においては、１つの駆動装置により、開閉金枠に対する加圧力の加減と、ノズル孔間の通路の開閉とを行うことができる。
【発明の効果】
【００２０】
以上のように、この発明によれば、簡単な構成で開閉金枠に対する加圧力の付与または解除を確実に行わせることができ、動作の信頼性と低コストを達成できる。
【発明を実施するための最良の形態】
【００２１】
以下に、この発明の一実施形態を、図面に基づいて説明する。
（全体の概略構成）
図２〜図４，図６及び図１０に示すように、取鍋等の溶湯容器１１の外面にはスライディングノズル装置１２が装着されている。スライディングノズル装置１２と離間した位置には駆動装置としての油圧シリンダ１３が配設され、この油圧シリンダ１３とスライディングノズル装置１２とによりこの実施形態の注湯装置が構成されている。そして、詳細は後述されるが、油圧シリンダ１３によりスライディングノズル装置１２のノズル部が開閉されるとともに、注湯量が調整されるようになっている。すなわち、図１０から明らかなように、スライディングノズル装置１２が下向きに配置された状態で、溶湯容器１１内の金属溶湯がスライディングノズル装置１２を介して鋳造型等に注湯されるようになっている。
【００２２】
（実施形態の要部の概略）
そこで、以下に、このスライディングノズル装置１２の構成を説明する。まず、図１（ａ）は、この実施形態の動作を示す模式図、同図（ｂ）（ｃ）は、同じく簡略断面図である。詳細は後述されるが、この図１（ａ）〜（ｃ）に示すように、固定金枠１４に対して開閉可能な開閉金枠１７上に後述するガイド部材３１が設けられ、そのガイド部材３１に被押圧面３１ａが形成されている。そして、その被押圧面３１ａに対応してカム部材３２が配置されている。このカム部材３２のカム面３２ａには移動部材３０及び保持部材２７を介して加圧手段を構成する加圧機構２３のコイルバネ２５のバネ力が作用するようになっている。
【００２３】
そして、図１（ｂ）に示すように、カム部材３２の係合孔３２ｂに固定ピン４３が挿入されて、カム部材３２が同図の上方位置に保持された状態では、カム部材３２のカム面３２ａ及び移動部材３０のカム面３０ｄの作用により、移動部材３０及び保持部材２７を介してコイルバネ２５に対して圧縮力が作用し、その圧縮反力がカム部材３２及びガイド部材３１の被押圧面３１ａを介して開閉金枠１７に作用する。このため、開閉金枠１７は、固定金枠１４に対して所要の加圧力のもとに圧接される。また、図１（ｃ）に示すように、前記固定ピン４３が係合孔３２ｂから離脱して、カム部材３２がその上下両端から切換部材４０及び係合突起３７ａにより挟持されて、その切換部材４０及び係合突起３７ａの下降にともなって下降された場合には、前記カム面３２ａ，３０ｄの作用が解除され、固定金枠１４に対する開閉金枠１７の圧接状態が解除される。
【００２４】
（固定金枠１４、開閉金枠１７及びそれらの関連構成）
次に、前記スライディングノズル装置１２の構成について詳細に説明する。まず、固定金枠１４、開閉金枠１７及びそれらの関連構成について説明する。図２〜図４及び図６に示すように、溶湯容器１１の外面には固定金枠１４が取り付け固定され、その両側部には挿通孔１４ｂを有する各一対の取付部１４ａが突設されている。固定金枠１４の中央部には固定プレート１５が着脱可能に取り付けられ、その中心には固定ノズル孔１５ａが形成されている。固定プレート１５の内面には必要に応じて内側ノズル筒１６が取り付けられ、この内側ノズル筒１６は溶湯容器１１の内部に突出するようになっている。
【００２５】
前記固定金枠１４の外面には開閉金枠１７が開閉可能に取り付けられている。すなわち、固定金枠１４の各取付部１４ａと対応するように、開閉金枠１７の両側には挿通孔１７ｂを有する各一対の支持部１７ａが突設されている。そして、両金枠１４，１７の一側方において、支持部１７ａ及び取付部１４ａの挿通孔１７ｂ，１４ｂに支持ピン１８を挿通することにより、開閉金枠１７がその支持ピンを中心にして図６に実線で示す閉鎖位置と、２点鎖線で示す一側方の開放位置との間で開閉回動可能に取り付けられている。
【００２６】
なお、必要に応じて両金枠１４，１７の他側方に位置する支持部１７ａ及び取付部１４ａの挿通孔１７ｂ，１４ｂに支持ピン１８を挿通すれば、開閉金枠１７を閉鎖位置と他側方の開放位置との間で開閉回動させることができる。
【００２７】
図２，図７及び図９に示すように、前記開閉金枠１７内には摺動金枠１９が図２の上下方向へスライド可能に配設され、その端部には連結金具２０を介して前記油圧シリンダ１３のピストンロッド１３ａが連結されている。摺動金枠１９の中央部には可動プレート２１が着脱可能に取り付けられ、その中心には固定ノズル孔１５ａに対応する可動ノズル孔２１ａが形成されている。可動プレート２１の外面には必要に応じて外側ノズル筒２２が取り付けられ、開閉金枠１７の外方へ突出するようになっている。
【００２８】
そして、開閉金枠１７が閉鎖位置に配置された状態で、この可動プレート２１が固定プレート１５に重合配置される。この状態で、油圧シリンダ１３にて可動プレート２１が摺動金枠１９とともに図２及び図９の上下方向にスライドされることにより、両プレート１５，２１のノズル孔１５ａ，２１ａの整合度が変更されて、それらのノズル孔１５ａ，２１ａ間の通路が開閉されるとともに、その通路の開口量が調整されるようになっている。
【００２９】
（加圧機構２３及びその関連構成）
図２〜図５，図８，図１０及び図１１に示すように、前記固定金枠１４の両側において、各一対の取付部１４ａ間には加圧手段としての加圧機構２３が配設されている。そして、開閉金枠１７が図に実線で示す閉鎖位置に配置された状態で、この加圧機構２３により開閉金枠１７に対して、閉鎖方向への加圧力が付与されるようになっている。
【００３０】
すなわち、固定金枠１４の両側の取付部１４ａ間には、一対のスプリングケースを構成するほぼ箱型の回動部材２４が両端の支軸部２４ａにて回動可能に支持されている。図４及び図５に示すように、回動部材２４の内部には複数の収容部２４ｂが区画形成され、これらの収容部２４ｂ内には複数のコイルバネ２５が収容配置されている。回動部材２４の開口部には蓋体２６がコイルバネ２５の軸線方向へ移動可能に嵌合され、この蓋体２６の内面には各コイルバネ２５の端部が当接されている。
【００３１】
前記各回動部材２４及び蓋体２６には、保持部２７ａ及び一対のロッド部２７ｂを有する保持部材２７がロッド部２７ｂにおいて、コイルバネ２５の軸線方向へ進退可能に挿通支持されている。保持部材２７の各ロッド部２７ｂの先端ネジ部にはナット２８が螺合され、蓋体２６の外面に接合されている。これにより、常に各コイルバネ２５の付勢力が蓋体２６及びナット２８を介して、保持部材２７に対してその保持部材２７が回動部材２４と接近する方向に作用するようになっている。また、図１０及び図１１に示すように、回動部材２４が回動されることにより、保持部材２７が後述の作動部材２９を介して開閉金枠１７を保持する位置と、そこから離間する位置とに移動配置されるようになっている。
【００３２】
（カム部材及びその関連構成）
図２〜図５及び図１０に示すように、前記各加圧機構２３と対応して、開閉金枠１７の両側には一対の作動部材２９が配設されている。そして、開閉金枠１７の閉鎖状態において、その作動部材２９と加圧機構２３との間に設けられた後述するカム面３０ｄ，３２ａの作用により、この作動部材２９の図２における下方へ移動されて、加圧機構２３のコイルバネ２５がその付勢力に抗して変形され、開閉金枠１７に対する加圧力が強化されるようになっている。
【００３３】
すなわち、前記作動部材２９は、開閉金枠１７の両側に一対のガイド部材３１を介して前記加圧機構２３の保持部材２７の移動方向と同方向へ移動可能に配設された移動部材３０と、その移動部材３０と開閉金枠１７との間に移動部材３０の移動方向と直交する方向へ移動可能に配置されたカム部材３２とから構成されている。図１及び図８に示すように、このカム部材３２は、前記両ガイド部材３１の一側面に形成した被押圧面３１ａに受け止められている。移動部材３０の内面には長孔３０ａが形成され、開閉金枠１７の側面に突設された規制ネジ３３の頭部がこの長孔３０ａに係合することにより、移動部材３０の移動範囲が設定されている。移動部材３０の外側には係合突起３０ｂが突設され、前記加圧機構２３の保持部材２７が保持位置に回動配置された状態で、この係合突起３０ｂに保持部材２７の保持部２７ａが係合可能に対応するようになっている。
【００３４】
図１０及び図１１に示すように、前記移動部材３０の内面には凹溝３０ｃがその移動部材３０の移動方向と直交する方向、すなわち前記摺動金枠１９のスライド方向と同方向へ延びるように形成され、その凹溝３０ｃの一側内面には傾斜カム面３０ｄが形成されている。また、この移動部材３０の凹溝３０ｃ内には前記カム部材３２が移動可能に挿通配置され、そのカム部材３２の一側外面には凹溝３０ｃの傾斜カム面３０ｄに摺動可能に係合する傾斜カム面３２ａが形成されている。カム部材３２の支持構成については後述する。
【００３５】
そして、前記カム部材３２が図８に２点鎖線で示す位置から実線で示す位置に移動されたときには、前記傾斜カム面３２ａ，３０ｄの作用により、移動部材３０が加圧機構２３のコイルバネ２５の弾性に抗する方向（図８において右方、図７において下方）に移動される。これにより、前述した図１（ａ）〜（ｃ）に示すように、前記保持部材２７を介して回動部材２４のコイルバネ２５がその付勢力に抗して圧縮変形されて、そのコイルバネ２５の反力が移動部材３０及びカム部材３２を介して、開閉金枠１７に対し閉鎖方向への力として作用するようになっている。
【００３６】
これに対して、カム部材３２が図８に実線で示す位置から２点鎖線で示す位置に移動されたときには、傾斜カム面３２ａ，３０ｄの作用により、移動部材３０が前記の場合と逆にコイルバネ２５の付勢方向に移動される。これにより、移動部材３０の係合突起３０ｂが加圧機構２３の保持部材２７の保持部２７ａから離間されて、開閉金枠１７に対する閉鎖方向への加圧力が解除されるようになっている。
【００３７】
図２、図４及び図５に示すように、前記加圧機構２３の保持部材２７の保持部２７ａに対応して、各移動部材３０の外側面には規制部材３４が支軸３５を介して回動可能に支持され、その先端には係合孔３４ａが形成されている。移動部材３０の外面には係合ピン３６が突設され、規制部材３４の係合孔３４ａに係合されている。そして、図５に実線で示すように、この係合孔３４ａの一端部と係合ピン３６との係合により、規制部材３４が保持部材２７の保持部２
７ａと対応する規制位置に回動配置された状態では、保持部材２７を図１０に示す開閉金枠１７に対する保持位置から、図１１に示す離間位置へ回動操作することが不能なように規制される。また、図５に２点鎖線で示すように、係合孔３４ａの他端部と係合ピン３６との係合により、規制部材３４が保持部材２７の保持部２７ａから離間する許容位置に回動配置されたときには、保持部材２７を図１０に示す開閉金枠１７に対する保持位置から、図１１に示す離間位置へ回動操作するのが許容されるようになっている。
【００３８】
図２，図３，図７及び図９に示すように、前記開閉金枠１７の外側において両カム部材３２間に位置するように、摺動金枠１９の外面には連動枠３７が連結筒３８を介して摺動金枠１９と一体に連結配置されている。従って、連動枠３７は摺動金枠１９とともにスライド移動する。連動枠３７と両カム部材３２との間には、切換手段としての切換機構３９が設けられている。そして、この切換機構３９により、両カム部材３２が連動枠３７に固定されて、連動枠３７及び摺動金枠１９と一体に図２の上下方向にスライドされる状態と、連動枠３７及び摺動金枠１９のスライドに関係なく開閉金枠１７に固定された状態とに切り換えられるようになっている。なお、開閉金枠１７の中央部には、前記連結筒３８が通過するための長孔１７ｃが透設されている。
【００３９】
すなわち、前記連動枠３７の下端両側には、両カム部材３２の下端を支持可能な一対の係合突起３７ａが形成されている。連動枠３７の上端両側には切換部材４０が回動軸４１を介して２位置間を回動可能に取り付けられ、プランジャ４２により２位置に弾性的に保持されるようになっている。そして、図１（ｃ），図２〜図４に示すように、切換部材４０が両カム部材３２の上方に突出する係合位置に切換回動されたときには、両カム部材３２が連動枠３７の係合突起３７ａとこの切換部材４０との間に挟持状態で支持される。この状態で、前記油圧シリンダ１３にて摺動金枠１９がスライドされることにより、両カム部材３２が摺動金枠１９及び連動枠３７と一体的に図１（ｃ）の実線位置と２点鎖線位置との間でスライドされて、加圧機構２３による開閉金枠１７への加圧力の付与または解除が行われる。これに対して、図１（ｂ）に示すように、切換部材４０が両カム部材３２の上方から退避する退避位置に切換回動されたときには、カム部材３２に関係なく、摺動金枠１９のみが図１（ｂ）の下方へスライドされて、前記固定プレート１５のノズル孔１５ａと可動プレート２１のノズル孔２１ａとの整合度が変更されるようになっている。
【００４０】
前記両カム部材３２の上端には係合孔３２ｂが形成されている。その係合孔４３ｂと係脱可能に対応するように、開閉金枠１７の両側の支持部１７ａには一対の固定ピン４３が出没可能に配設され、固定用プランジャ４４により突出位置及び没入位置において弾性的に保持にされるようになっている。そして、図１（ｂ）及び図２に示すように、この固定ピン４３がカム部材３２の係合孔３２ｂ内に進入して係合孔３２ｂと係合する位置に突出されたときには、両カム部材３２が開閉金枠１７に対してスライド不能に固定され、その状態で保持される。従って、カム部材３２は、開閉金枠１７とともに図１（ｂ）の上下方向に移動される。これに対して、固定ピン４３がカム部材３２の係合孔３２ｂから離脱する位置に没入されたときには、開閉金枠１７に対する両カム部材３２が図１（ｂ）の上下方向への移動が許容されるようになっている。
【００４１】
なお、図１（ａ）（ｂ）において、ガイド部材３１の被押圧面３１ａに接触するカム部材３２の背面の下端、及び前記被押圧面３１ａの上下両端は、ガイド部材３１に対するカム部材３２の圧接時に、集中応力を緩和するように、円弧状に形成されている。
【００４２】
（実施形態の作用）
次に、前記のように構成されたスライディングノズル装置１２の作用を説明する。
さて、このスライディングノズル装置１２の通常の使用時には、図６及び図７に示すように、開閉金枠１７が固定金枠１４に対する閉鎖位置に配置され、加圧機構２３の保持部材２７が開閉金枠１７に対する保持位置に回動配置されている。この状態で、図４の２点鎖線に示すように、摺動金枠１９が同図の下方側に移動されたときには、両プレート１５，２１のノズル孔１５ａ，２１ａ間の通路が閉じられている。また、図８に実線で示すように、カム部材３２が移動範囲の一端部側（図８の上方側）に移動されて、係合孔３２ｂに対する固定ピン４３の係合により、開閉金枠１７に固定されている。
【００４３】
さらに、図１（ｂ）及び図２に実線で示すように、切換部材４０がカム部材３２の上方から退避する退避位置に切換回動されている。また、図４及び図５に実線で示すように、規制部材３４が保持部材２７の保持部２７ａと対応する規制位置に回動配置され、保持部材２７の保持位置から離間位置への回動操作が規制されている。従って、図４及び図５から明らかなように、この状態ではカム部材３２及び移動部材３０のカム面３２ａ，３０ｄの作用により加圧機構２３のコイルバネ２５が圧縮変形され、その反力が移動部材３０，カム部材３２及びガイド部材３１を介して開閉金枠１７に付与されて、その開閉金枠１７が閉鎖位置に加圧保持されている。
【００４４】
この状態で、図７に示すように、スライディングノズル装置１２を下向きに配置して、油圧シリンダ１３を引き込み作動させると、可動プレート２１が摺動金枠１９とともに図２の上方にスライドされて、固定プレート１５のノズル孔１５ａと可動プレート２１のノズル孔２１ａとの整合度が変更される。これにより、ノズル孔１５ａ，２１ａ間の通路が可動プレート２１の移動量に応じた開口量にて開放され、その通路を介して溶湯容器１１内の金属溶湯が鋳造型等に注湯される。その後、油圧シリンダ１３を突出作動させると、前記の場合とは逆に、可動プレート２１が摺動金枠１９とともに図２の位置側からその下方位置にスライドされて、両プレート１５，２１のノズル孔１５ａ，２１ａ間の通路が閉鎖される。ちなみに、図７は、摺動金枠１９とともにスライド動作される部品を実線で示している。前記通路の閉鎖により、溶湯容器１１内からの金属溶湯の注湯が停止される。そして、これらの場合、カム部材３２は、固定ピン４３により開閉金枠１７上に保持されているため、移動することなく定位置を保持する。
【００４５】
次に、開閉金枠１７を開放させて、固定プレート１５及び可動プレート２１のノズル孔１５ａ，２１ａに付着した金属溶湯を掃除したり、それらのプレート１５，２１を交換したりする場合の操作について説明する。この場合には、図２及び図４に示すように、スライディングノズル装置１２を立ててノズルを横向きに配置し、油圧シリンダ１３を引き込み作動させると、可動プレート２１が摺動金枠１９とともにスライドされて、図７，図１０及び図１１に示すように、両プレート１５，２１のノズル孔１５ａ，２１ａ間の通路が全開状態になる。
【００４６】
この状態で、作業者により固定ピン４３がカム部材３２の係合孔３２ｂから離脱されて、カム部材３２が開閉金枠１７に対する固定状態から解除される。続いて、図１（ｃ）及び図２に２点鎖線で示すように、切換部材４０がカム部材３２の上方の係合位置に切換回動されて、カム部材３２が連動枠３７の係合突起３７ａと切換部材４０との間に挟持された状態になる。
【００４７】
その後、油圧シリンダ１３を突出作動させると、摺動金枠１９が図２及び図４の下方側にスライドされるとともに、連動枠３７を介してカム部材３２が図８に実線で示す位置から鎖線で示す位置まで一体的にスライドされる。これにより、傾斜カム面３２ａ，３０ｄの作用に従い、移動部材３０が加圧機構２３のコイルバネ２５の付勢方向に移動されて、開閉金枠１７に対するコイルバネ２５の加圧力が解除される。
【００４８】
次いで、規制部材３４を図５に実線で示す規制位置から鎖線で示す許容位置に回動させると、図１１に鎖線で示す保持位置に配置されている保持部材２７の保持部２７ａの外側方が開放されて、保持部材２７の外方への回動が許容される。この状態で、図１１に実線で示すように、回動部材２４を回動させて、保持部材２７を作動部材２９の係合突起３０ｂと対応する保持位置から外側方の離間位置に回動させた後、図６に鎖線で示すように、開閉金枠１７を固定金枠１４から開放させる。これにより、可動プレート２１が固定プレート１５に対する重合状態から開放されて、この状態で両プレート１５，２１の掃除や交換を容易に行うことができる。
【００４９】
そして、このプレート１５，２１の掃除や交換後には、前記の場合とほぼ逆順に操作して、スライディングノズル装置１２を元の状態に戻す。すなわち、開閉金枠１７を図６に鎖線で示す開放位置から実線で示す閉鎖位置に回動させた後、加圧機構２３の回動部材２４を図１０の位置に回動させる。この状態で、規制部材３４を図４及び図５に鎖線で示す許容位置から実線で示す規制位置に回動させると、保持部材２７の保持位置からの外方への回動が規制（阻止）される。
【００５０】
その後、油圧シリンダ１３を引き込み作動させると、摺動金枠１９が図２の位置から同図の上方にスライドされるとともに、連動枠３７及び係合突起３７ａと切換部材４０を介してカム部材３２が図８に鎖線で示す位置から実線で示す位置へ一体的にスライドされる。これにより、傾斜カム面３２ａ，３０ｄの作用により、移動部材３０が図１０の下方側に移動されて、回動部材２４のコイルバネ２５がその付勢力に抗して圧縮変形される。そして、このコイルバネ２５の反力が移動部材３０、カム部材３２及びガイド部材３１を介して、開閉金枠１７に対し閉鎖方向への力として付与され、開閉金枠１７が閉鎖位置に加圧保持される。
【００５１】
続いて、切換部材４０を図２に２点鎖線で示す係合位置から実線で示す退避位置に切換回動させると、カム部材３２が連動枠３７に対する連係状態から解除されてフリーな状態になる。さらに、固定ピン４３をカム部材３２の係合孔３２ｂに係合させて、カム部材３２を開閉金枠１７に対して固定させる。
【００５２】
その後、油圧シリンダ１３を突出作動させると、可動プレート２１が摺動金枠１９とともに図２の位置側から下方にスライドされて、両プレート１５，２１のノズル孔１５ａ，２１ａ間の通路が閉じられた状態になる。この状態で、前記のように油圧シリンダ１３にてノズル孔１５ａ，２１ａ間の通路を適度に開放させることにより、溶湯容器１１内の金属溶湯を鋳造型等に注湯することができる。
【００５３】
以上のように、この実施形態においては、カム部材３２が図８の実線位置に配置された状態において、加圧機構２３により開閉金枠１７に閉鎖方向への加圧力が作用し、この状態において油圧シリンダ１３の駆動により、固定ノズル孔１５ａと可動ノズル孔２１ａと間が開閉されたり、開度が調整されたりする。また、カム部材３２が図８の２点鎖線位置に配置された状態においては、加圧機構２３による開閉金枠１７に対する加圧力が解除されて、開閉金枠１７を開閉することができる。従って、この実施形態においては、開閉金枠１７と、開閉金枠１７を閉鎖状態に保持するための保持部材２７との間に、カム部材３２や、カムフォロワとなる移動部材３０を設けるのみの簡単な構成で、前述したノズルの開度調整や、開閉金枠１７に対する加圧力の付与及び解除を行わせることができる。言い換えれば、このような簡単なひとつの機構で、ノズルの開度調整と、開閉金枠１７に対する加圧力の付与・解除との双方を行うことができて、構成が簡単になる。
【００５４】
（変更例）
なお、この実施形態は、次のように変更して具体化することも可能である。
・  移動部材３０を省略し、カム部材３２が加圧機構２３の保持部材２７に直接接触して、カム作用により保持部材２７をコイルバネ２５のバネ力に抗して移動させるように構成すること。
【００５５】
・  摺動金枠１９と連動枠３７とを一体化して、カム部材３２を支持するための係合突起３７ａ等の手段を摺動金枠１９に設けること。
・  カム面３０ｄ，３２ａを移動部材３０及びカム部材３２のいずれか一方に設けること。
【図面の簡単な説明】
【００５６】
【図１】（ａ）は、実施形態の要部を模式的に示す簡略図、（ｂ）は、加圧状態を示す断面図、（ｃ）は加圧解除状態を示す断面図。
【図２】実施形態のスライディングノズル装置を備えた注湯装置を示す正面図。
【図３】油圧シリンダにより移動される機構、カム部材及びその関連機構を示す正面図。
【図４】図２の注湯装置の側面図。
【図５】主として加圧機構を示す拡大側面図。
【図６】図２の注湯装置の平面図。
【図７】油圧シリンダによって摺動金枠とともに摺動される機構を示す断面図。
【図８】図２の８−８線における断面図。
【図９】主としてカム部材及びその関連機構を示す断面図。
【図１０】図２の１０−１０線における断面図。
【図１１】図１０と対応して図６の一部を拡大して示す部分断面図。
【符号の説明】
【００５７】
１１…溶湯容器、１２…スライディングノズル装置、１３…駆動装置としての油圧シリンダ、１４…固定金枠、１５…固定プレート、１５ａ…固定ノズル孔、１７…開閉金枠、１９…摺動金枠、２１…可動プレート、２１ａ…可動ノズル孔、２３…加圧手段としての加圧機構、２４…回動部材、２５…コイルバネ、２７…保持部材、２９…作動部材、３０…移動部材、３０ｂ…係合突起、３０ｄ…傾斜カム面、３２…カム部材、３２ａ…傾斜カム面、３７…連動枠、３７ａ…係合突起、３９…切換手段としての切換機構、４０…切換部材、４２…切換用プランジャ、４３…固定ピン、４４…固定用プランジャ。
【図１】
2005262238.tif 000003
【図２】
2005262238.tif 000004
【図３】
2005262238.tif 000005
【図４】
2005262238.tif 000006
【図５】
2005262238.tif 000007
【図６】
2005262238.tif 000008
【図７】
2005262238.tif 000009
【図８】
2005262238.tif 000010
【図９】
2005262238.tif 000011
【図１０】
2005262238.tif 000012
【図１１】
2005262238.tif 000013